(57)【要約】【課題】  導光板を用いた照明装置の輝度を均一にすること。【解決手段】  導光板と指向性拡散層との間に、導光板の屈折率よりも大きな屈折率を持つ高屈折率層を形成した。【選択図】    図１
2005302458.tif 000002
【特許請求の範囲】
【請求項１】
光源と、前記光源からの光を照射面から出射する導光体を備える照明装置において、
前記導光体の照射面側に設けられた、特定角度範囲で入射した光を散乱し、それ以外の角度で入射された光を透過する指向性拡散層と、
前記導光体の照射面と前記指向性拡散層との間に設けられた、前記導光板の屈折率よりも大きい屈折率を有する高屈折率層と、を備えることを特徴とする照明装置。
【請求項２】
前記指向性拡散層のヘイズ値は、前記光源から離れるに従って大きな値となることを特徴とする請求項１に記載の照明装置。
【請求項３】
前記高屈折率層は高屈折率接合剤であり、当該高屈折率接合剤によって前記指向性拡散層と前記導光板とが接合されたことを特徴とする請求項１または２に記載の照明装置。
【請求項４】
前記指向性拡散層は、周囲の領域より屈折率の高い領域が厚み方向に連続的に形成された柱状構造が面内に複数配列され、厚さ方向に光を導く機能を有するレンズアレイシートであることを特徴とする請求項１〜３のいずれか一項に記載の照明装置。
【請求項５】
前記高屈折率層の屈折率は、前記柱状構造の屈折率と等しいまたは小さい屈折率であることを特徴とする請求項４に記載の照明装置。
【請求項６】
請求項１から５のいずれか一項に記載の照明装置と、前記照明装置の照射面側に設けられた非自発光型の表示素子とを備えることを特徴とする表示装置。
【発明の詳細な説明】
【技術分野】
【０００１】
本発明は、時計、携帯電話、オーディオ、電子機器等に使用される表示装置、及び表示装置に用いられる照明装置に関する。
【背景技術】
【０００２】
近年、携帯機器、特に、携帯電話で用いる表示素子には小型軽量が要求されるため、液晶表示素子が広く使われている。しかし、液晶表示素子は受光型のため、携帯電話に要求される暗い場所での視認性に問題がある。そこで、液晶表示素子の前面または背面に照明装置を設置することが多い。この薄型軽量を実現するため照明装置としては、光源としてＬＥＤを導光板の側面に配したサイドライト型の照明装置が多用されている。
【０００３】
このような液晶表示装置に導光体シートが利用されており、導光体シートとして、微細な柱状構造が面内に複数本配列され、柱状構造の柱状中央領域はそれを取り巻く外周領域に比べて屈折率が高く形成され、厚さ方向に光を導く機能を有する柱状レンズアレイシートが知られている（例えば、特許文献１参照）。
【特許文献１】特開２０００−３５５７６号公報（第３−５頁、第７図）
【発明の開示】
【発明が解決しようとする課題】
【０００４】
特許文献１に開示されている柱状レンズアレイシートを用いた従来の構成では、バックライト導光板と柱状レンズアレイシートとの間隙に拡散層を用いているために拡散層がバックライトの導光特性に影響を与えてしまうため均一な照明を行うことができないという課題を有していた。
【課題を解決するための手段】
【０００５】
本発明の照明装置は、光源からの光を照射面から出射する導光体を備えており、導光体の照射面側に設けられた、特定角度範囲で入射した光を散乱し、それ以外の角度で入射された光を透過する指向性拡散層と、導光体の照射面と指向性拡散層との間に設けられた、導光板の屈折率よりも大きい屈折率を有する高屈折率層と、を備えることとした。
【０００６】
さらに、指向性拡散層のヘイズ値を、光源から離れるに従って大きな値となるように構成した。ここで、高屈折率層に高屈折率接合剤を用い、高屈折率接合剤によって指向性拡散層と導光板とを接合した。
【０００７】
また、指向性拡散層として、周囲の領域より屈折率の高い領域が厚み方向に連続的に形成された柱状構造が面内に複数配列され、厚さ方向に光を導く機能を有するレンズアレイシートを用いた。さらに高屈折率層の屈折率が、柱状構造の屈折率と等しいまたは小さい屈折率になるように構成した。また、指向性拡散層の柱状構造は、非周期的に配列されている。
【０００８】
このような構成によって、良好な輝度と輝度分布を持った照明装置を簡便に作製することが可能となり上記課題を解決することができた。
【０００９】
また、本発明の表示装置は、上述した構成の照明装置の光照射面側に非自発光型の表示素子を配置した構成である。このような構成により、良好な輝度と視角特性を持った表示装置を簡便に作製することができる。
【発明の効果】
【００１０】
本発明によれば、良好な輝度と輝度分布を有する薄型軽量の照明装置を提供できるために、これを用いた液晶表示装置の表示品質が向上するのみならず、液晶表示装置の薄型軽量化をも実現できるという効果を有する。
【発明を実施するための最良の形態】
【００１１】
以下に本発明の照明装置を図面に基づいて説明する。図１は本発明の照明装置の構成を模式的に示す断面図である。下面に微細反射構造体５が形成された導光板４の上面には高屈折率層３を介して指向性拡散層としての柱状レンズアレイシート２が配置されている。
【００１２】
ＬＥＤ光源１から出射した光は、導光板４の内部を導波し、導光板照射面である柱状レンズアレイシート２側から面状に一様に図示されていない被照明体に照射される。被照明体として、液晶表示素子を用いることによって、輝度が均一で明るい液晶表示装置とすることができる。
【００１３】
導光板４は、アクリル系樹脂やポリカーボネート系樹脂あるいはシクロオレフィン系樹脂などの透明な高分子で作られている。導光板４の下面に形成されている微細反射構造体６としては、図１の紙面に垂直な方向に稜線を持った微細プリズム群や、導光板内部に向かって凸または凹の互いに離間した微小三角柱群、あるいはシボ構造体を用いることができる。図１では１つしか描画されていないが、ＬＥＤ光源１は３から５個といった複数用いられるのが通常である。また、図示していないが、ＬＥＤ光源１に対向する導光板４の側面には、ＬＥＤ光源１から出射した光の導光板４内部での広がり角を制御するための微小プリズムが形成されている。この微小プリズムは図１の上下方向の稜線を持っており、広がり角は微小プリズムの頂角によって制御することができる。
【００１４】
また、柱状レンズアレイシート２は、微細な柱状構造が面内に複数本配列され、前記柱状構造の柱状中央領域はそれを取り巻く外周環状領域に比べて屈折率が高く形成され、厚さ方向に光を導く機能を有している。すなわち、屈折率が中心に向かう程連続的に大きくなっているグレイディッドインデックス型柱状レンズ、または中心部分の屈折率がそれを取り巻く外周領域の屈折率よりも高い２層構造になっているステップインデックス型柱状レンズが平面状に複数配列されているフィルム構造になっている。
【００１５】
この柱状レンズアレイシートの製造は、例えば、屈折率の異なる２種類以上の光重合性化合物からなる液状反応層に、グラデーション加工を施したフォトマスクを介して紫外線を照射することによって、光照射強度による光重合性化合物の光重合速度の違いによって屈折率の分布状態を制御することによって行う。
【００１６】
柱状レンズアレイシート２の導光板側表面には高屈折率層３が形成されている。この高屈折率層３の屈折率は導光板４の屈折率よりも大きな値となっており、柱状レンズアレイシートを構成している微細柱状レンズの高屈折領域の屈折率と同程度の値を持っている。高屈折率層３の層厚は１〜５μｍ程度である。
【００１７】
高屈折率層３の形成方法としては、ＣｅＯ２  やＭｇＯとＳｉＯ２  の材料混合物を真空蒸着で成膜しても良いし、シリカゾルとチタニアゾルなどの混合ゾルといった屈折率を調整された混合ゾルを塗布焼成して形成しても良い。
【００１８】
このようにして高屈折率層３が形成された柱状レンズアレイシート２は、高屈折率層３側を導光板４の照射面に向けて接合層５で導光板２と接合されている。接合層５として、エポキシ系接着剤やアクリル系接着剤のような通常の光学接着剤層を用いても良いが、通常のフィルム粘着剤を用いるのが簡便である。
【００１９】
図２に本発明の照明装置の構成に関する別の最良形態を示す。図２が図１と異なっている点は、高屈折率層３と接合層５との替わりに高屈折率接合層７が用いられている点である。通常の粘着剤では空気などの混合によって屈折率が低下しているために、高屈折率接合層７は粘着剤に高屈折率高分子材料または高屈折率酸化物超微粒子を混合して得る。このような構造にすることによって、高屈折率層を柱状レンズアレイシート２上に形成したのと同様の効果が簡単にかつ安価に得られる。
【００２０】
次に柱状レンズアレイシート中の光の振舞いについて説明する。図３はステップインデックス型柱状レンズアレイシートを用いた場合の光の挙動を示した模式図である。また、簡単のため、高屈折率層としては図２に示したのと同様の高屈折率接合層７を用いた場合を説明する。図中に導光板４の内部から柱状レンズアレイシートに入射する光の光路の１つを矢印で示してある。導光板２の中を導波している光は様々な入射角を持って高屈折率接合層７に入射するが、入射光の多くは導光板臨界角よりも大きな入射角を持って入射する。高屈折率接合層７は導光板４に比べて大きな屈折率を持っているために、高屈折率接合層７への屈折角はスネルの法則に従って入射角よりも小さくなる。
【００２１】
ステップインデックス型柱状レンズは、高屈折率領域８と低屈折率領域９とが明確な境界を持って形成されている。ここで、柱状レンズ中央領域である高屈折率領域８の屈折率は高屈折率接合層７の屈折率と等しいかまたは小さい。従って、高屈折率接合層７から高屈折率領域８に入射した光はそのまま直進するかさらに導光板照射面の法線側に向かって屈折する。高屈折率領域８に入射した光は低屈折率領域９との境界面に入射するが、境界面への入射角は大きな値となっているために多くの光が反射される。この光は高屈折率領域８と低屈折率領域９との境界面で繰り返し反射して上方に導波していき、柱状レンズアレイシートの上面から出射される。柱状レンズアレイシートの上面への入射角は、柱状レンズ内の境界面で光が反射されることによって臨界角よりも小さな値となっている。
【００２２】
このとき、柱状レンズアレイシートの層厚と高屈折率領域７への光の入射角と入射位置によって柱状レンズアレイシートからの特定光の出射方向が定まる。そして、柱状レンズアレイシートの層厚が厚くなればなるほど散乱方位の偏りが大きくなるように出射する。また、高屈折率領域８と低屈折率領域９の屈折率差が大きいほど散乱角は大きくなる。さらに、柱状レンズアレイシートの層厚が厚くなればなるほど、また円柱半径が小さくなればなるほど、さらにシート面内での柱状レンズの個数密度が大きくなればなるほどヘイズ値は大きくなる。
【００２３】
本発明の照明装置においては、柱状レンズのレンズ径が、０．２μｍ〜２５０μｍ、レンズ高さ（柱状レンズアレイシート層厚）が１０μｍ〜２００μｍの柱状レンズアレイシートを用いることができる。しかしながら、製造歩留まりや光利用効率あるいはハンドリングのし易さなどを考慮すると、レンズ径は０．５μｍ〜１００μｍ、レンズ高さは２０μｍ〜８０μｍとするのが好ましい。また、柱状レンズの屈折率差は０．０１〜０．０５のものを用いることができる。
【００２４】
一方、図３において、高屈折率接合層７から低屈折率領域９に入射した光は、入射角よりも大きな屈折角で屈折する。そして低屈折率領域９から高屈折率領域８に入射するとさらに面内方向に屈折され、柱状レンズアレイシートの表面で全反射して再び導光板側に戻って行く。
【００２５】
次に、導光板４の内部から高屈折率接合層７にさらに大きな入射角で入射してきた光が高屈折率領域８に入射する場合を図５に示す。この場合、高屈折率領域８と低屈折率領域９との境界面に入射する光の入射角は、図３の場合に比べて小さくなる。その結果、光は境界面を透過して低屈折率領域９に直接入射した場合と同様に柱状レンズアレイシートの表面で全反射して再び導光板４に戻ってくる。このように、高屈折率領域８に入射する光の角度によって、柱状レンズアレイシートの表面から光が散乱照射されるか、全反射して再び導光板に戻ってくるかが決まる。この角度の境界値はステップインデックス型柱状レンズのいわゆるカットオフ角と同じになる。通常のステップインデックス型柱状レンズと柱状レンズシートとの違いは、通常のステップインデックス型柱状レンズではカットオフ角以上の光は外部に漏れ出すが、本発明では表面で全反射されて再び導光板４に戻ってくるところである。
【００２６】
図４にグレイディッドインデックス型柱状レンズアレイによる柱状レンズアレイシート中の光の振舞いを示す。グレイディッドインデックス型柱状レンズは、柱状中央付近に高屈折率領域８を持ち、その外周が低屈折率領域９となっているが、ステップインデックス型柱状レンズのように高屈折率領域８と低屈折率領域９との間には明確な境界面を持っていない。
【００２７】
グレイディッドインデックス型柱状レンズの内部に入射した光はより屈折率の高い方へと光路を曲げる。従って、この柱状レンズの中での光路は図４に示すように滑らかな曲線を示す。しかし、この場合においても、ステップインデックス型柱状レンズの場合と同様に、カットオフ角が存在する。すなわち、カットオフ角よりも小さな入射角で入射した光は柱状レンズ内を導波して柱状レンズアレイシートの表面から出射されるが、カットオフ角よりも大きな入射角で入射した光は柱状レンズアレイシートの表面で全反射され再び導光板４の方に戻る。
【００２８】
このときもステップインデックス型柱状レンズアレイシートの場合と同様に、柱状レンズアレイシートの層厚と柱状レンズへの光の入射角と入射位置によって柱状レンズアレイシートからの特定光の出射方向が定まる。そして、柱状レンズアレイシートの層厚が厚くなるほど散乱方位の偏りが小さくなるように出射する。また、高屈折率領域８と低屈折率領域９によって形成される屈折率の傾きが大きいほど散乱角は大きくなる。さらに、柱状レンズアレイシートの層厚が厚くなるほど、また円柱半径が小さくなるほど、さらにシート面内での柱状レンズの個数密度が大きくなるほどヘイズ値は大きくなる。
【００２９】
図６に本発明の照明装置を用いた液晶表示装置における光路の１例を説明する。図示するように、本発明の液晶表示装置は、ＬＥＤ光源１、導光板４、柱状レンズアレイシート２、高屈折率層３、接合層６、反射板１１を有する照明装置と、液晶パネル１０とを備えている。導光板４の裏面には微細反射構造体が形成されている。また、照明装置内部を伝播する光の光路を矢印で示してある。
【００３０】
ＬＥＤ光源１から出射された光は、導光板４の内部に入った後接合層６との界面に入射する。その後、接合層６と高屈折率層３を順に透過して柱状レンズアレイシート２に入射する。本最良形態では柱状レンズアレイシートに入射する光の入射角は、柱状レンズアレイシート２のカットオフ角よりも大きな場合を示してあるため、光はそのまま柱状レンズアレイシート２の表面で全反射して、再び高屈折率層３と接合層６とを順に透過して導光板４の内部に戻る。もし、柱状レンズアレイシート２への入射角が、柱状レンズアレイシート２のカットオフ角よりも小さい場合は、入射光は柱状レンズアレイシート２内の柱状レンズ内を導波して柱状レンズアレイシート２の表面から出射され液晶パネル１０を裏面から照明する。
【００３１】
導光板４に戻った光は裏面の微細反射構造体５で偏向されて導光板４の裏面から抜け、反射板１１で反射されて再び導光板４に戻る。この戻り光は偏向を受けているために、接合層６と高屈折率層３とを順に透過した後再び柱状レンズアレイシート２に入射するときは、その入射角が柱状レンズアレイシート２のカットオフ角よりも小さくなっているために、柱状レンズアレイシート２内の柱状レンズ内を導波して柱状レンズアレイシート２の表面から出射され液晶パネル１０を裏面から照明する。なお、ここでは、頂角が１００度程度以下で形成された微細プリズム構造体や導光板表面から凸状に突起した微細反射構造体を用いた場合を説明しているが、頂角が１００度程度以上で形成された微細プリズム構造体や導光板表面から凹状に内部に窪んだ微細反射構造体を用いた場合は、上記戻り光の多くが微細反射構造体５で直接液晶パネル側に反射される。
【００３２】
このようにして柱状レンズアレイシート２の表面から照射された光は、拡散されているためにより均一な照明となる上に、カットオフ角によって規制される指向性のために効率的に液晶パネルを照射することができ、均一で明るい照明装置とすることができる。
【００３３】
柱状レンズシートアレイ２と液晶パネル１０との間に、照明装置側片面に微細プリズム構造体を設けたプリズムシートを１枚または2枚配置することによって、より効率的な照明が可能となる。
【００３４】
図９に本発明で用いた柱状レンズアレイシートの光透過特性を示す。図９において、横軸は柱状レンズアレイシートへの入射角、縦軸は各入射角に対する光透過強度を表している。ただし、測定は透明なガラス基板に柱状レンズアレイシートを貼り付けて大気中で行った。図９から分かるように、柱状レンズアレイシートはカットオフ角βで光強度がほぼゼロになっていることがわかる。入射角が−β〜βの範囲内では光は散乱透過され、入射角の絶対値がβ以上の範囲内では光は散乱されずに直進透過する。上記に説明した臨界角αは通常βよりも大きな値を持っており、導光板に柱状レンズアレイシートを貼り付けた場合は、臨界角α以上で入射した光は透過せず全反射する。βの値としては、柱状レンズアレイシートの層厚、柱状レンズの口径、あるいは柱状レンズの屈折率差などを調整することによって、１０〜４５度程度までの任意の値に制御することができる。
【００３５】
次に、柱状レンズアレイシートのヘイズ特性について説明する。柱状レンズの屈折率とシート層厚を一定にした状態で、レンズ径を大きくして行くと、柱状レンズアレイシートのヘイズ値は、ヘイズ値は小さくなっていく。また、柱状レンズアレイシートのシート層厚とレンズ径を一定にしておいた状態で、中央と外周部の屈折率差を大きくしていくと、ヘイズ値も大きくなる。さらに、柱状レンズの屈折率とレンズ径を一定にした状態で、層厚を厚くしていくとヘイズ値も大きくなっていく。柱状レンズの充填密度を大きくすることによってもヘイズ値は大きくなる。
【００３６】
このような、柱状レンズアレイシートの特徴を用いて、本発明の照明装置においては、導光板のＬＥＤ光源に近い側のヘイズ値よりも遠い側のヘイズ値の方が大きくなるように形成して得た柱状レンズアレイシートを用いた。このようにすることによって、ヘイズ値が一様な柱状レンズアレイシートを用いた場合よりもＬＥＤ光源からの光を均一に被照明体に照射することができる。なお、このとき導光板４の裏面には微細プリズム構造などの微細反射構造体を形成してもしなくてもよい。しかし、導光板４の裏面に微細反射構造体を形成した方が輝度の均一性と光利用効率は向上する。この微細反射構造体の形成密度やピッチは、上記柱状レンズアレイシートのヘイズ値分布に対して最適化をはかって形成される。
【００３７】
図７に柱状レンズアレイシートのヘイズ値を変化させた最良実施形態の１例を示す。この図は、本発明の照明装置を柱状レンズアレイシート側から見た平面図であり、ＬＥＤ光源１ａ、１ｂ、１ｃが導光板側面に３個配置されている。柱状レンズアレイシート２には柱状レンズ１２が充填して複数配列されている。本最良形態ではＬＥＤ光源側の柱状レンズのレンズ径がＬＥＤ光源から離れるに従って小さくなるように配列されている。図を見やすくするように誇張されて描かれているが、柱状レンズ径は、およそ２００μｍ〜１０μｍまでの大きさで分布しており、その値は導光板サイズや図示されていない導光板や高屈折率層の屈折率、および柱状レンズの層厚や屈折率によって最適値は変化する。また、柱状レンズアレイシート２面内での配列はモアレ縞の発生を防ぐために、周期性を除去した配列になっている。
【００３８】
図８に柱状レンズアレイシートのヘイズ値を変化させた他の最良形態を示す。この最良形態においては、柱状レンズアレイシート内の柱状レンズの充填密度を変化させた場合で、ＬＥＤ光源１ａ、１ｂ、１ｃから離れるに従って充填密度が大きくなるように配列されている。具体的には柱状レンズはＬＥＤ光源の配列方向に一列に並んだ列単位で配列されており、この列がＬＥＤ光源に近い側は密に、ＬＥＤ光源から離れるに従って疎になっている。本最良形態では、ＬＥＤ光源から離れるに従って列間の距離が二次関数的に狭くなるように配列してある。
【００３９】
充填密度の変化のさせ方は、図８に示した以外にも、柱状レンズの列間隔を一定にしておき、列内での柱状レンズの配列密度を列がＬＥＤ光源に近くなるほど疎になるようにしてもよい。ここでは、列中の柱状レンズは全て同じ径で、同じ屈折率差を持っている。しかし、ＬＥＤ光源１ａ、１ｂ、１ｃ方向の輝度分布を調節するために、列の内部で光強度の弱い領域の柱状レンズのヘイズ値が大きくなるように柱状レンズ径を列内で変化させてもよい。このようにすることによって、照明装置全体での輝度分布を向上させることができるばかりでなく、ＬＥＤ光源方向のモワレ縞の発生す防ぐことができる。
【００４０】
以下に、本発明の実施例を具体的に説明する。
【実施例１】
【００４１】
柱状レンズアレイシートの下面にシリカゾルを主剤として酸化アンチモンゾルあるいは酸化チタンゾルを混合したものを塗布した後焼成する。これにより、屈折率１．５２で膜厚５μｍの高屈折率層を形成した。この柱状レンズアレイシートを、アクリル系樹脂を用いて成形した導光板に粘着剤で貼り付け、図１に示した構成の照明装置を作製した。導光板の裏面には、導光板内面に向かって凸状の三角柱微細反射構造体を形成した。この反射構造体のＬＥＤ光源側の斜面が導光板出射面となす角度は１０度であり、その対向面が導光板出射面となす角度は８０度とした。また、三角柱の深さは１０μｍ、長さは５０μｍとした。このような三角柱状凸反射構造体を面密度がＬＥＤ光源から離れるほど密になるように配置した。このときの柱状レンズアレイシートの層厚と柱状レンズ高さは５０μｍであり、低屈折率領域の屈折率が１．５０で高屈折率領域との屈折率差は０．０２であるグレイディッドインデックス型柱状レンズアレイシートを用いた。また、このとき柱状レンズアレイシート面内で柱状レンズの径は一様に３０μｍのものを用いた。
【００４２】
一方、上述した照明装置において、高屈折率層を形成せずに柱状レンズアレイシートを上記と同一の形状の導光板上に直接粘着剤で貼り付けたものを比較用照明装置として作製した。本発明の照明装置と比較用照明装置の輝度を比較したところ、全輝度はおよそ３〜１０％向上し、本発明の照明装置の輝度分布は比較用照明装置の輝度分布に比較しておよそ５〜１５％向上した。
【実施例２】
【００４３】
実施例１と同じ柱状レンズ配列の柱状レンズアレイシートの片面に、粘着剤に粒径約４０〜６０ｎｍの酸化チタン超微粒子を分散させた屈折率が約１．５２の高屈折率接合層を形成し、実施例１で用いたのと同一の導光板に接合することによって図２に示す構成の照明装置を作製して輝度を測定したところ、実施例１で作製した本発明の照明装置とほぼ同等の輝度と輝度分布を得ることができた。
【００４４】
このようにすることによって、実施例１で示した本発明の照明装置よりも簡単な構成で本発明の照明装置を実現することができた。
【実施例３】
【００４５】
実施例２と同様の構成の照明装置において、柱状レンズの径を変化させることによって柱状レンズアレイシート面内におけるヘイズ値が、ＬＥＤ光源近傍では３０％で対向側では９０％となるようにした柱状レンズアレイシートを用いた。この結果、作製した照明装置の輝度分布を実施例２の場合に比較しておよそ５〜１０％向上させることができた。
【図面の簡単な説明】
【００４６】
【図１】本発明による照明装置の１最良形態を模式的に示す断面図である。
【図２】本発明による照明装置の１最良形態を示す断面図である。
【図３】本発明で用いた柱状レンズアレイシート内での光路の一例を示す説明図である。
【図４】本発明で用いた柱状レンズアレイシート内での光路の一例を示す説明図である。
【図５】本発明で用いた柱状レンズアレイシート内での光路の一例を示す説明図である。
【図６】本発明の照明装置内における光路の一例を示す説明図である。
【図７】本発明で用いた柱状レンズアレイシート面内での柱状レンズの配列の一例を示した模式的平面図である。
【図８】本発明で用いた柱状レンズアレイシート面内での柱状レンズの配列の一例を示した模式的平面図である。
【図９】本発明で用いた柱状レンズアレイシートの特性を表すグラフである
【符号の説明】
【００４７】
１、１ａ、１ｂ、１ｃ  ＬＥＤ光源
２  柱状レンズアレイシート
３  高屈折率層
４  導光板
５  拡散層
６  微細反射構造体
７高屈折率接合層
８高屈折率領域
９低屈折率領域
１０  液晶パネル
１１  反射板
【図１】
2005302458.tif 000003
【図２】
2005302458.tif 000004
【図３】
2005302458.tif 000005
【図５】
2005302458.tif 000006
【図６】
2005302458.tif 000007
【図７】
2005302458.tif 000008
【図８】
2005302458.tif 000009
【図９】
2005302458.tif 000010
【図４】
2005302458.tif 000011